(57)【要約】【課題】  トルマリン鉱石・黒曜石のマイナスイオン及び遠赤外線は、身体に良い電磁波を発生出来る鉱石特有イオンが効率よく、多量に発生させて優れた健康と美容を発揮させるシャワー水である。【解決手段】水道水の圧力を有効にエネルギーとして使用し、一般に市販されている受水槽を利用し（受水槽用のモーター）始動は水を使用するとモーターが稼働する装置になっている、今回の開発の水中ポンプは上記のモーター配線と結合する事により、水を使用すると水中ポンプが稼働しイオンが発生出来るので合理的な方法の考案である。常に受水槽に多量の水が黒曜石を使っているので水が腐食しないため地震災害の時の飲料水に活躍できる。【特許請求の範囲】
【請求項１】
受水槽タンクに飲料水、又は、水道水等を蓄積し水槽タンク内にマイナスイオン発生生成材鉱石に衝撃と圧力を加えて水をマイナスイオン・遠赤外線・電磁波等（鉱石のイオン）を発生させ混合水にする方法。
一例、トルマリン鉱石・黒曜石・麦飯石・北投席・ラジウム・その他のイオン発生生成材鉱石に水層タンク内でポンプ水圧力により鉱石に衝撃等加えて上記のイオンが発生出来る装置である。
【請求項２】
蓄積層のタンク内に、上部のパイプに無数の穴を開け、ポンプ水圧力で吹き出して中間に多量の鉱石（１例、トルマリン鉱石・黒曜石）等を敷き詰めて、無数の穴から・鉱石に水圧で衝撃と圧力を加える事により、マイナスイオン・遠赤外線・電磁波等が発生し、水槽タンク内の水と混合が出来る装置である。
【請求項３】
蓄積層タンクの床面にスノコ板、又は、無数の穴を開けたバイプを一面に敷き詰め、床面の水の流れを良くし、水中ポンプに水の集積が良くなる方法の設備を作成すると良い。
【請求項４】
受水槽モーターと水中ポンプ電源を連結する事により、水を使用すると水中ポンプが稼動する、請求項１，２，３、記載の装置でマイナスイオン水風呂・岩盤浴・シャワー水・美味しい飲料水になる、又、美容と健康に最適である。
諏訪市（株）芙蓉パーライト会社と当社で１０年前より現在に至るまで実験研究の結果、１０年の蓄積水を飲料水に使用できることが確認できた。
今後日本の地震災害に飲料水に活用ができる装置である。
【発明の詳細な説明】
【技術分野】
【０００１】  本発明は（トルマリン鉱石・黒曜石・麦飯石・北投石・マイナスイオン発生生成材等）に水道の圧力、又はポンプ等で送水パイプに無数の穴を開け、水圧を利用し鉱石に衝撃と圧力を加えて遠赤外線・電磁波等で抗菌作用・マイナスイオン水を作成する混合なせる装置である。
【背景技術】
【０００２】  近年、トルマリン鉱石、黒曜石、ラジウム鉱石、麦飯石、北投石、等のマイナスイオン、遠赤外線を発生し易い物質（マイナスイオン、遠赤外線生成材）を用いる種々の装置が開発されて有りますが鉱石の量が小量で水圧が少ないため、シャワーとして使用する事が不可能である。
【発明の開示】
【発明が解決しようとする課題】
【０００３】  本発明はこのような従来の問題点に着目してなされたものであり、大型水槽タンクの中に、トルマリン鉱石・黒曜石・イオン生成材等を多量に敷き詰めて、水送パイプに無数に穴を開け循環送水の圧力で鉱石に衝撃を与えてマイナスイオン・遠赤外線・電磁波等が発生する。
【課題を解決するための手段】
【０００４】  上記目的を達成するために、本発明により塩素の含まれた水道水、又人体に与える有害水等を自動的にマイナスイオン・遠赤外線・電磁波等を発生させて身体に良い水に出来る装置を永年の研究と実験で実証が出来ました。温泉・マイナスイオントルマリン風呂・サウナ・岩盤浴関係等のミストシャワー水を自動的に多量に作成が出来装置。【０００５】  貯水槽タンク中に、（１例）トルマリン鉱石と黒曜石を底面にスノコ板、又は、暗渠排水に使用するパイプを一面に敷き、その上に多量の、黒曜石とトルマリン鉱石、（イオン生成材鉱石）を搬入できる送水パイプの外周に無数の穴を開け、水圧で鉱石に衝撃を加えると鉱石特有のマイナスイオン・遠赤外線・電磁波等が発生する。【０００６】  荻原大が提出日平成１８年４月１１日整理番号・Ｐ０４０Ｈ０１手続補正書２０６００６９０２１２特願２００６−６８３４３の原理と同様になる。【０００７】  上記（０００６）の出願よりも、コストと施工が安価である。【０００８】  受水槽タンクの中に１１水中ポンプを設置し、３のパイプ配管に４無数の穴を開け受水槽容器の水を１１水中ポンプで１２送水する事により、４の穴から５，６イオン生成鉱石に衝撃と圧力を加えるとマイナスイオン・遠赤外線・電磁波等が発生し、又、黒曜石特有の抗菌作用が発生する。【０００９】  １１水中ポンプの配線は２のモーターと接続配線を行う事により、水道蛇口又は、シャワーを使用すると電源が同時に稼働して、受水槽タンク中１１水中ポンプが稼働して、水が循環される装置である。
【発明の効果】
【００１０】  トルマリン鉱石は人体に効能効果がある薬石として世間で数多くの方法で使用されている鉱石である。特にトルマリン鉱石を飲料水に多く使用されている。【００１１】  黒曜石は昔から健康水として黒曜石を色々な方法で加工されて使用している。【００１２】  今回の開発により、多量のトルマリン鉱石と黒曜石をミックスし、１１循環水中ポンプ圧力で５・６鉱石に衝撃加えた事により、イオン粒子が水滴化して家庭用・ホテル用風呂・岩盤浴サウナシャワー等に多く使用実験テストを行い人体に数多くの利点を得た。
【発明を実施するための最良の形態】
【００１３】  水道メーター機の配管に接続する事により水道水の塩素消毒が解消されて健康水として使用できる。体験の結果美味しい飲料水となった。
黒曜石を使用した貯水タンクの水を長野県和田峠（株）芙蓉パーライト会社では１０年間黒曜石を水に使用した実験を行い１０年前の水が現在飲料水としても使用しても良い事が研究の結果わかり保存可能のため実験が現在も継続されている。
日本は地震対策として色々と研究されているが一番人間に必要な物は、空気と水です、今回の開発により普段は生活用水として使用が出来る、又、地震が発生して断水に成った時は保存飲料水に使用できる。【００１４】  ミストシャワーとして岩盤浴・サウナに使用した結果、健康に良く女性の美肌効果は特に良く、荻原大が平成１７年７月１７日提出・整理番号・Ｐ０４０Ｈ０１・識別番号０００１２３３０９特願２００５−２３００５１の方法で体験場を作製し実証ができた。【００１５】  使用する黒曜石は産地として有名な長野県和田峠産であり、その成分含有率の一例を表１に示す。【００１６】
【表１】
2008030013.tif 000002
【表２】
2008030013.tif 000003
2008030013.tif 000004
【図面の簡単な説明】
【図１】横断面図
【図２】縦断面図
【図３】斜め横図面
【符号の説明】
１．  水道水取り付け口。
２．  受槽モーター。
３．  水吹き出し圧力パイプ。
４．  圧力水  噴出し穴。
５．  黒曜石（イオン生成材鉱石）。
６．  トルマリン鉱石（イオン生成材鉱石）。
７．  スノコ板・又は、暗渠排水パイプ。
８．  受水槽タンク。
９．  受水槽タンクの架台。
１０．排水溝の穴。
１１．水中ポンプ。
１２．送水管。
１３．水中ポンプに水集路。
１４．水集路穴。
【図１】
2008030013.tif 000005
【図２】
2008030013.tif 000006
【図３】
2008030013.tif 000007